(57)【要約】【課題】パチンコ台前面の枠体への取り付け取り外しが容易で、枠体で囲まれたガラス面の傾斜角度が測定できる計測装置を提供する。【解決手段】本発明の計測装置は、パチンコ台正面のガラス面の傾斜角度を測定する計測装置であって、伸縮が可能でガラス面を囲む枠体の縁に両端が当接する突っ張り棒と、突っ張り棒の取付け軸に前後動可能かつ回動可能に吊り下げられ、底部の突起がガラス面に当接する吊り下げ部材と、吊り下げ部材の両側に搭載される傾斜器と、を備える。【選択図】図２
2020168125.tif 000002
【特許請求の範囲】
【請求項１】
パチンコ台正面のガラス面の傾斜角度を測定する計測装置であって、
伸縮が可能でガラス面を囲む枠体の縁に両端が当接する突っ張り棒と、
前記突っ張り棒の取付け軸に前後動可能かつ回動可能に吊り下げられ、底部の突起がガラス面に当接する吊り下げ部材と、
前記吊り下げ部材の両側に搭載される傾斜器と、
が備えられることを特徴とする計測装置。
【請求項２】
前記突っ張り棒は、本体部とスライド部材とからなり、前記スライド部材は、一方向へのスライドを可能とし、他方向へのスライドを抑止するラチェットに従って動作し、前記突っ張り棒を伸縮させることを特徴とする請求項１に記載の計測装置。
【請求項３】
前記取付け軸には、前記吊り下げ部材をガラス面方向に付勢する押えばねが設けられ、前記吊り下げ部材が前記突起の高さ以上にガラス面の前方向に移動可能なことを特徴とする請求項１に記載の計測装置。
【発明の詳細な説明】
【技術分野】
【０００１】
本発明は、計測装置に係り、より詳しくは、パチンコ台正面のガラス面の傾斜角度を測定できる計測装置に関する。
【背景技術】
【０００２】
特許文献１にて、出願人は、パチンコ台外枠と島枠の隙間に金具を挿入し、該金具に吊り下げてパチンコ台盤面の傾斜角度を測定する傾斜計を提案した。しかしながら、盤面には多数の針の他、玉孔や飾り付け具があり、傾斜計の脚を長くしても盤面に当接させることが困難な場合がある。一方、パチンコ台正面の扉の枠体には嵌め込まれるガラス板は、盤面と略平行なので、ガラス面の傾斜を測定し、パチンコ台の傾斜角度を確認することができる。
【０００３】
特許文献２には、図７に傾斜計を固定する固定部材１８が設けられ、段落［００４２］には、固定部材１８に吸盤が使用できると記載される。ガラス面に対して吸盤を使用すると、吸着力が強く取り外しが簡単ではなく、使用後に吸着跡をふき取る作業が発生する。また、ガラス板は一般に薄いので、吸盤に強く押し付けるとガラス板が割れる恐れもある。
【先行技術文献】
【特許文献】
【０００４】
【特許文献１】特開２０１５−０５８０４８号公報
【特許文献２】特開２００６−４６９６９号公報
【発明の概要】
【発明が解決しようとする課題】
【０００５】
本発明の目的は、パチンコ台正面の枠体への取り付け取り外しが容易で、枠体で囲まれたガラス面の傾斜角度を測定する計測装置を提供することにある。
【課題を解決するための手段】
【０００６】
本発明による計測装置は、パチンコ台正面のガラス面の傾斜角度を測定する計測装置であって、伸縮が可能でガラス面を囲む枠体の縁に両端が当接する突っ張り棒と、前記突っ張り棒の取付け軸に前後動可能かつ回動可能に吊り下げられ、底部の突起がガラス面に当接する吊り下げ部材と、前記吊り下げ部材の両側に搭載される傾斜器と、が備えられる。
【０００７】
前記突っ張り棒は、本体部とスライド部材とからなり、前記スライド部材は、一方向へのスライドを可能とし、他方向へのスライドを抑止するラチェットに従って動作し、前記突っ張り棒を伸縮させることを特徴とする。
【０００８】
前記取付け軸には、前記吊り下げ部材をガラス面方向に付勢する押えばねが設けられ、前記吊り下げ部材が、前記突起の高さ以上にガラス面の前方向に移動可能なことを特徴とする。
【発明の効果】
【０００９】
本発明の計測装置によれば、伸縮可能な突っ張り棒を設けたので、突っ張り棒の両端を扉の枠体に当接させて、ガラス面に取り付けることができる。突っ張り棒の両端が枠体を押すもので、ガラス面へは軽く当てるだけなので、ガラス面への負荷は小さい。突っ張り棒を伸縮可能としたので、パチンコ台正面の枠体サイズが異なる機種であっても取り付けできる。吊り下げ部材が、突っ張り棒の取付け軸に前後動可能かつ回動可能に吊り下げられるので、吊り下げ部材と突っ張り棒を前後に離し、突っ張り棒を取付け軸の周りに回転させることで、突っ張り棒をガラス面の上下方向にも、左右方向にも取付けできる。
【００１０】
突っ張り棒は、本体部とスライド部材とからなり、スライド部材は、一方向へのスライドを可能とし、他方向へのスライドを抑止するラチェットに従って動作させるので、突っ張り棒を伸縮させて、本体部の両端から出たり入ったりできる。これにより、伸ばした突っ張り棒が縮むことはなく、その状態が維持できる。突っ張り棒を枠体から外す場合は、ラチェットを起こした状態とし、スライド部材を反対方向にスライドすれば突っ張り棒を縮めるができる。
【００１１】
取付け軸に押えばねを設けたので、吊り下げ部材の底部の突起がガラス面に当接して力がかかると、押えばねが縮み、吊り下げ部材をガラス面の前方向に移動できる。そのため、吊り下げ部材はガラス面に当接した状態で維持される。また、押えばねは、突起の高さ以上に移動可能に縮むので、突っ張り棒が突起にぶつかることなく回転させて、突っ張り棒をガラス面の上下方向にも、左右方向にも取付けできる。
【図面の簡単な説明】
【００１２】
【図１】本発明による計測装置の取付け例１で、突っ張り棒を伸ばさずにパチンコ台前面のガラス面に押し当てた状態の正面図である。（取付け例１）
【図２】突っ張り棒を上下方向に伸ばして、本発明による計測装置をパチンコ台正面の枠体に取り付けた正面図である。（取付け例１）
【図３】計測装置をパチンコ台正面の枠体から取り外し、突っ張り棒を上下方向から左右方向に回転させる図である。
【図４】本発明による計測装置の取付け例２で、突っ張り棒を伸ばさずにパチンコ台前面のガラス面に押し当てた状態の正面図である。（取付け例２）
【図５】図４の平面図である。（取付け例２）
【図６】突っ張り棒を左右方向に伸ばして、本発明による計測装置をパチンコ台正面の枠体に取り付けた正面図である。（取付け例２）
【図７】図６の平面図である。（取付け例２）
【発明を実施するための形態】
【００１３】
以下、添付の図面を参照して、本発明の計測装置を詳しく説明する。
【実施例】
【００１４】
図１は、本発明による計測装置１００の取付け例１で、突っ張り棒７を上下方向に伸ばさずに、パチンコ台前面のガラス面１ａに押し当てた状態の正面図である。パチンコ台の正面には扉があり、扉の枠体１７に、ガラス板１が実装されている。ガラス板１は枠体１７に囲まれ、枠体１７はガラス面より少しだけ前方に突出している。ガラス面１ａに計測装置１００を押し当てただけでは、落下してしまう。そこで、突っ張り棒７を設けた。突っ張り棒７には、本体部１５にスライド部材１６、１６が組み込まれている。本実施例では、スライド部材１６は、本体部１５の長さ方向の２箇所に設けられる。そして、スライド部材１６の一端には、当接部９が設けられ、上方向と下方向の２つの方向に突っ張り棒７が伸縮可能となるように構成される。スライド部材は、本体部１５の２箇所ではなく、１箇所に設けられるとしてもよい。
【００１５】
図１に示すように、突っ張り棒７の前側（ガラス面から遠ざかる側）にＨ型の吊り下げ部材５が設けられる。吊り下げ部材５は、横部材１２とその両側の縦部材１３からなり、横部材１２の中央が突っ張り棒７の取付け軸１１に、回動可能かつ上下動可能に取り付けられる。その場合、吊り下げ部材５は、両側の縦部材１３の下端が真下を向き、横部材１２は水平になる。傾斜器４は、ここでは気泡４ａで角度を読み取るタイプのものである。傾斜器は、これに限定されず、デジタル式のものとしてもよい。ラチェット（爪）８は、スライド部材１６を一方向にはスライドを可能とするが、他方向にはスライドを抑止する機構である。図１において、上部のラチェット８は、通常、上部のスライド部材１６を上方向にスライド可能とするが、下方向へのスライドは抑止する。下部のラチェット８は、逆に、下部のスライド部材１６を下方向にスライド可能とするが、上方向へのスライドは抑止する。スライド部材１６を抑止した方向にスライドさせるには、例として、ばねで付勢して傾斜させたラチェット８を、手動で操作し起き上がらせることによる。ラチェト８は、本体部１５の内側に設けられた歯（図示せず）に係合させている。なお、吊り下げ部材５は、取付け軸の箇所で左右のバランスが取れていれば、Ｈ型の板材のほか四角形の板材でもよい。
【００１６】
図１では、突っ張り棒７はガラス板１のガラス面１ａに軽く押し当てられるが、当接部９、９は、扉の枠体１７には当接していない。枠体１７はガラス面１ａより前方にせり出しているので、計測装置１００が落下しないようスライド部１６、１６をスライドさせ、先端の当接部９、９を上方向と下方向に伸ばして枠体１７に当接させる。下部のスライド部材１６を所定の長さに伸ばしておき、下部の当接部９を枠体１７に当接させ、上部のスライド部材１６のみを上方向にスライドさせる操作としてもよい。
【００１７】
図２は、突っ張り棒７を上下方向に伸ばして、本発明による計測装置１００をパチンコ台正面の枠体１７に取り付けた正面図である。上部のスライド部材１６を上方向に伸ばすには、上方向に押し上げることによる。これにより、上部のスライド部１６が本体部１５から上方向に押し出される。下部のスライド部材１６を下方向に伸ばすのは、下方向に押し下げることによる。これにより、下部のスライド部１６が本体部１５から下方向に押し出される。このようにして、当接部９、９を、ガラス面１ａを囲む枠体１７の上下の縁に当接させる。突っ張り棒７を上下方向に突っ張らせるので、計測装置１００が落下することはない。
【００１８】
図３は、計測装置１００をパチンコ台正面の枠体１７から取り外し、突っ張り棒７を上下方向から左右方向に回転させる図である。吊り下げ部材５は、横部材１２の中央が突っ張り棒７の取付け軸１１に、回動可能に取り付けられるので、突っ張り棒７を回動させて、突っ張り棒７と横部材１２が重ねなるようにして、並行にできる。そして、突っ張り棒７を左右方向に伸ばせば、計測装置１００をパチンコ台正面の枠体に取り付けることができる。吊り下げ部材５の向きは図１の場合から変化しない。
【００１９】
図４は、本発明による計測装置１００の取付け例２で、突っ張り棒７を左右方向に伸ばさずに、パチンコ台前面のガラス面１ａに押し当てた状態の正面図である。その場合、吊り下げ部材５は、両側の縦部材１３が真下を向き、横部材１２は水平になる。
【００２０】
図５は、図４の平面図である。図５に示すように、取付け軸１１には押えばね１０が設けられ、吊り下げ部材５を後方（ガラス面１ａの方向）に付勢している。そのため、吊り下げ部材５の底部の突起２（全部で４個）が、ガラス面１ａに当接した状態で維持される。詳細には、吊り下げ部材５の底部には全部で４つの突起２、２、２、２があり、この突起がガラス面１ａに当接する。突起２、２、２、２がガラス面からの力を受けると、吊り下げ部材５が押し上げられる。すると、押えばね１０が縮むので、吊り下げ部材５が前方側（ガラス面１ａから遠ざかる方向）に動くことになる。なお、傾斜器４は、表示部が上方向を向いて設けられ、気泡４ａの位置でガラス板１の傾斜角度を読み取れる。また、傾斜器４は、左右両側に設置されるとしたが、吊り下げ部材５が取付け軸１１の左右でバランスがとれるように重りでバランスを取れば、片側だけの設置としてもよい。
【００２１】
図６は、突っ張り棒７を左右方向に伸ばして、本発明による計測装置１００をパチンコ台正面の枠体１７に取り付けた正面図である。左側の当接部９を左方向に伸ばすのは、左側のスライド部材１６を左方向に押すことによる。左方向に押すと、スライド部１６が本体部１５から左方向に押し出されてくる。右側の当接部９を右方向に伸ばすのは、右側のスライド部材１６を右方向に押すことによる。右方向に押すと、右側のスライド部１６が本体部１５から右方向に押し出されてくる。このようにして、当接部９、９を、ガラス面１ａを囲む枠体１７の左右の縁に当接させる。突っ張り棒７を左右方向に突っ張らせるので、計測装置１００が落下することはない。
【００２２】
図７は、図６の平面図である。図７に示すように、取付け軸１１には押えばね１０が設けられ、吊り下げ部材５を後方（ガラス面１ａの方向）に付勢している。そのため、吊り下げ部材５の底部の突起２がガラス面１ａに当接した状態で維持される。底部の４つの突起２、２、２、２がガラス面１ａに当接する。突起２、２、２、２がガラス面からの力を受けると、吊り下げ部材５が押し上げられる。すると、押えばね１０が縮むので、吊り下げ部材５が前方側（ガラス面１ａから遠ざかる方向）に動くことになる。なお、取付け軸１１は、吊り下げ部材５が、前後方向に、突起２の高さ以上に移動可能となる長さを有する。計測装置１００をパチンコ台正面の枠体１７から外した場合、吊り下げ部材５と突っ張り棒７の前後方向の間隔を広げることで、突っ張り棒７は突起２にぶつかることなく回動できる。このようにして突っ張り棒７は縦向き（上下方向）にも横向き（左右方向）にもできる。
【００２３】
スライド部材１６は、操作者が手でつまんでスライドさせるが、操作しやすいように操作レバー（図示せず）が設けられてもよい。本体部１５には、ラチェット８に係合する部材として、ネジ軸のネジ山を利用してもよい。ラチェット８は、ばねで傾斜するように取り付けられ、ネジ山に係合しており、一方向へのスライドは可能とするが、他方向へのスライドは抑止する。操作者が、このばねに抗してラチェット８を起き上がらせれば、他方向へのスライドが可能になる。当接部９には、枠体１７に当接させる際、衝撃を和らげるため、クッション材を取り付けておくことができる。
【００２４】
本実施例によれば、
（１）突っ張り棒７を枠体１７に当接させるので、ガラス面への負荷が少ない。
（２）突っ張り棒７は枠体に対し、上下方向にも左右方向にも取り付けできる。
（３）突っ張り棒７は伸縮可能なので、異なる枠体サイズでも取り付けできる。
（４）ワンウエイのラチェットを設けたので、突っ張り状態を維持できる。
（５）吊り下げ部材５は突起の高さ以上に前後動可能としたので、突っ張り棒７を回動しても吊り下げ部材５の突起２にぶつからないようにできる。
【産業上の利用可能性】
【００２５】
本発明は、パチンコ台正面のガラス面の傾斜角度を測定する測定装置として好適である。
【符号の説明】
【００２６】
１    ガラス板
１ａ    ガラス面
２    突起
４    傾斜器
４ａ    気泡
５    吊り下げ部材
７    突っ張り棒
８    ラチェット
９    当接部
１０    押えばね
１１    取付け軸
１２    横部材
１３    縦部材
１５    本体部
１６    スライド部材
１７    枠体
１００    計測装置
【図１】
2020168125.tif 000003
【図２】
2020168125.tif 000004
【図３】
2020168125.tif 000005
【図４】
2020168125.tif 000006
【図５】
2020168125.tif 000007
【図６】
2020168125.tif 000008
【図７】
2020168125.tif 000009